(57)【要約】  弦楽器（１）の奏者のあごを支えるように設けられる支持板（２９）を弦楽器（１）の本体（２）に接続できるようにする、弦楽器（１）用のあご当て（２８）のための保持装置（３０）が、一方で奏者の姿勢を人間工学的に改善させることができ、他方で弦楽器の音質を向上させることができるようになっている。このために、保持装置（３０）は、ばね仕掛けによって支持板（２９）を本体（２）に接続するばね要素として設計される。
2021526233.tif 000002
【特許請求の範囲】
【請求項１】
弦楽器（１）の奏者のあごを置くために設けられる支持板（２９）を前記弦楽器（１）の本体（２）に接続できるようにする、前記弦楽器（１）用のあご当て（２８）のための保持装置（３０）であって、前記支持板（２９）を前記本体（２）に弾性接続させるように設計される、保持装置（３０）。
【請求項２】
ばね要素（３２）を備える、請求項１に記載の保持装置（３０）。
【請求項３】
その前記ばね要素（３２）が、その中央領域（４０）で屈曲又は湾曲する材料片（３８）によって構成され、前記ばね要素（３２）が、その長手方向部分において長手方向側面の一方で途切れた楕円形を形成するように、その両端の領域（４２，４４）で屈曲する、請求項２に記載の保持装置（３０）。
【請求項４】
その前記ばね要素（３２）が、プラスティック、金属、又は圧縮された圧縮木材から作られる、請求項２又は３に記載の保持装置（３０）。
【請求項５】
圧縮された圧縮圧縮木材が、０．６ｇ／ｃｍ３〜０．９６ｇ／ｃｍ３の密度を有する、請求項４に記載の保持装置（３０）。
【請求項６】
その前記ばね要素（３２）が、断面において、２ｍｍ〜２５ｍｍの幅及び／又は１ｍｍ〜４ｍｍの厚さを有する、請求項１〜５のいずれか一項に記載の保持装置（３０）。
【請求項７】
その前記ばね要素（３２）が、材料片（３８）の長手方向から見て変化する幅を有して輪郭形成及び設計され、７ｍｍ〜２５ｍｍ、好適には９ｍｍ〜１５ｍｍ、特に好適には１０ｍｍ〜１２ｍｍの断面最大幅を有し、２ｍｍ〜１５ｍｍ、好適には３ｍｍ〜１０ｍｍ、特に好適には４ｍｍ〜７ｍｍの断面最小幅を有する、請求項１〜６のいずれか一項に記載の保持装置（３０）。
【請求項８】
ばね要素（３２）が、１ｃｍ〜７ｃｍの高さ及び／又は４ｃｍ〜１２ｃｍの幅を有する、請求項１〜７のいずれか一項に記載の保持装置（３０）。
【請求項９】
ばね要素（３２）が、０．８Ｎ／ｍｍ〜１８Ｎ／ｍｍ、好適には１．２Ｎ／ｍｍ〜１４Ｎ／ｍｍ、特に好適には１．４Ｎ／ｍｍ〜１２Ｎ／ｍｍのばね定数を有する、請求項１〜８のいずれか一項に記載の保持装置（３０）。
【請求項１０】
ばね要素（３２）が、０．１６Ｎｍ／ｒａｄ〜４．８Ｎｍ／ｒａｄ、好適には０．２４Ｎｍ／ｒａｄ〜４Ｎｍ／ｒａｄ、特に好適には０．２８Ｎｍ／ｒａｄ〜３．６Ｎｍ／ｒａｄの方向性トルクを有する、請求項１〜９のいずれか一項に記載の保持装置（３０）。
【請求項１１】
弦楽器（１）の奏者のあごを支えるように設計された支持板（２９）に前記弦楽器（１）を接続するのに、請求項１〜１０のいずれか一項に記載の保持装置（３０）の使用。
【請求項１２】
弦楽器（１）用のあご当て（２８）であって、前記弦楽器（１）の奏者のあごを支えるようになっている支持板（２９）と、請求項１〜１０のいずれか一項に記載の保持装置（３０）とを備える、あご当て（２８）。
【請求項１３】
請求項１２に記載のあご当て（２８）を有する、弦楽器（１）。
【発明の詳細な説明】
【技術分野】
【０００１】
本発明は、弦楽器の奏者のあごを置くための支持板を弦楽器の本体に接続できるようにする、弦楽器用のあご当てのための保持装置に関する。
【背景技術】
【０００２】
多くの弦楽器、特にバイオリン及びビオラは、演奏の際、奏者の身体に面する本体の端部で、演奏家のあごと肩との間に保持される。しかしながら、奏者の頭と肩の領域との距離が楽器の厚さよりも大きい場合が多いため、演奏家にとって極めて心地の悪い位置で楽器を保持又は挟持することしかできず、楽器を演奏することはできたとしても、演奏の質の低下は免れない。この対策として、バイオリンやビオラ用の所謂あご当て及び肩当てが開発されている。
【０００３】
あご当ては、通常黒檀又は他の堅木製の窪んだ支持要素（又は支持板）で構成されており、多くの場合肩当てと共に使用されて、楽器の上部への接触により音の広がりを過剰に低下させることなく、あごと肩の圧力を加えることで、奏者が楽器をしっかりと快適に保持できるようにするものである。人間のあご及び顎骨の形状には個人差があることから、支持要素には、著しく平坦なものから深く窪んだものまで様々な形状のものが使用される。
【０００４】
担持面は、保持装置によって、楽器上部のテールピースのすぐ上又は左側に取り付けられることが多い。このために、保持装置は、弦楽器と担持面とに対応する接続要素を有する。
【０００５】
近年普及している保持装置は、例えば、担持面へのねじ接続を含み、弦楽器に取り付けられたクランプに接続する金属製の支柱である。
【０００６】
あご当ては、何よりも一定の安定性が求められる一方で、楽器の音に悪影響を及ぼすべきものではない。しかしながら、どのレベルの奏者でも、彼らの肩又は鎖骨とあごとの間に弦楽器を強く挟み過ぎてしまうことがある。これによって、痙攣や怪我の虞、そして楽器の音質の低下が生じうる。一般的に、いずれのあご当てもバイオリンの音色に影響すると言える。そのため、着け心地の良いあご当てだけでなく、特に音色への悪影響が少ないものが求められている。
【先行技術文献】
【特許文献】
【０００７】
【特許文献１】欧州特許第２００２７５９号明細書
【発明の概要】
【０００８】
このため、本発明は、一方で奏者の姿勢を人間工学的に改善させることができ、他方で弦楽器の音質を向上させることができる、上記のような種類の保持装置を提供することを目的とする。
【０００９】
本発明によれば、この目的は、支持板を本体と弾性接続させる保持装置を設計することで達成される。
【００１０】
本発明は、奏者によってあご当ての接触面に加わる圧力が軽減されることによって、人間工学的な姿勢の改善が達成されるという考えに基づく。過剰な圧力は、特に、既知のあご当てでは、奏者自身が加える圧力からの触覚フィードバックを奏者が一切受けられないという事実によって助長される。そのため、接触面に弾性挙動を生じさせ、圧力がより大きい場合は移動するようにすべきである。実験では、奏者はばねのような挙動に驚き、新たなバランスを要することが示されている。これにより、圧力が自然と減少する。そのため、保持要素の接続要素同士の間にばね要素を設けるべきである。また、保持装置のばねのような挙動によって、担持面と弦楽器とが音響的に分離して、音質も格段に改善される。
【００１１】
保持装置は、例えば支持板上に成形された成形部品として、支持板と一体に作られてもよい。或いは、保持装置と支持板とは、ねじ又は接着接合といった好適な留め手段によって互いに接続される、２つの別々の構成要素であってもよい。
【００１２】
本発明の有利な実施例は、従属項の主題である。
【００１３】
有利には、保持装置はばね要素を備える。ばね要素の種類としては、例えば、ぜんまいばね、互いの上部に機械的に固定される反発磁石、そしてプラスティック又はゴム等でできた大きな型といった、根本的に大きく異なる機構が使用できる。しかしながら、ばね要素は、有利には板ばねの手法で設計されるため、極めて小さな努力によって、特に軽量な設計の実現が可能である。板ばね又は平坦なばねは、硬い伸縮素材の屈曲片によって構成されることが多い。
【００１４】
有利な設計では、保持装置のばね要素は一体に作られる。これにより、特に簡素な製造及び組み立てが実現される。
【００１５】
特に有利な設計では、ばね要素は、その中央領域で屈曲又は湾曲する材料片によって構成され、ばね要素が、その長手方向部分において長手方向側面の一方で途切れた楕円形を形成するように、その両端の領域で屈曲する。こうした設計によって、平坦なばねのような特に簡素な構造が得られる。例えば、Ｕ字形のレッグ部にある簡素な孔にねじを適切に誘導することで、弦楽器の本体への接続が実現される。なお、代替の、特に好ましい接続の方法は、クリック機構によってばね要素に接続できるクランプ要素のシステムである。
【００１６】
ばね要素は、例えば鋼、炭素繊維又は熱可塑性材料といった、様々な適切な材料から作ることができる。しかしながら、特に有利な設計では、そのそれぞれが独立して発明的であると考えられ、ばね要素は、特に好適にはガラス繊維が含まれるプラスティック、好適にはナイロンから、又は代わりとして、特に圧縮された圧縮木材である木材、好適にはメープル木材から作られる。驚くことに、これらの材料から作られたばね要素は、他の材料と比べて著しく改善された音特性を有し、弦楽器の音に影響を与えることがない。また、更に驚くべきことに、上記の材料のいずれも、そのそれぞれの振動特性が楽器の本体の振動特性と特によく適合することから、その音響又は音色特性の観点から、あご当てとしての使用に特に適していることが分かっている。
【００１７】
また、同じく独立して発明的とされる代替の設計において保持装置に使用される材料は、同じように優れた音特性を有する圧縮木材である。また、ばねの木材は、好適には皮又は接線状に切断すべきであることも分かった。これにより、強く屈曲させることや、一定の圧力への抵抗に特に適したものとなる。
【００１８】
一般に「圧縮木材」とも呼ばれる圧縮された圧縮木材の製造及びその性質の一部は、例えば特許文献１によって知られており、その開示は、圧縮された圧縮木材の説明及び製造プロセスを参照することによって組み込まれる。特に、圧縮木材の製造では、例えば約５０％〜６０％の含水率を有する、入念に選択された一枚板の出発物質を、まず含水率が約３０％になるまで自然環境の条件下で乾かし、切断して滑らかにして、含水率が約２０％になるまで更に乾かす。そうして、実際の圧縮プロセスへと移ることができる。この、すなわち圧縮プロセスのために、まず、処理する木材ブロックを、特に適切な柔らかさとなるように熱処理する。その後、そうして前処理された木材ブロックに対して、実際の圧縮室において静水圧を加える。これにより、木質繊維をその繊維の方向に圧縮させて、繊維の壁が折り曲がるようにする。これにより、木材全体の形状を屈曲可能且つ打ち延ばし可能となる。圧縮の直後、処理された木材が、処理に起因する湾曲又は木材ブロック全体の変形を見せることがある。これを補うために、続いて屈曲又は成形の工程を設けて、木材ブロックを、更なる処理に対して好ましい元の真っ直ぐな形状に戻すようにしてもよい。
【００１９】
特に有利な実施例では、ばね要素は、７ｍｍ〜２５ｍｍ、好適には９ｍｍ〜１５ｍｍ、特に好適には１０ｍｍ〜１２ｍｍの断面幅を有し、最小の断面幅は、有利には２ｍｍ〜１５ｍｍ、好適には３ｍｍ〜１０ｍｍ、特に好適には４ｍｍ〜７ｍｍである。また、ばね要素は、好適には１ｍｍ〜４ｍｍの厚さを有する。また、ばね要素は、有利には１ｃｍ〜７ｃｍの高さ及び／又は４ｃｍ〜１２ｃｍの長さを有する。これらの寸法によって、ばね要素は、楽器と奏者のあごとの間に特に適切に位置付けられて、自然な姿勢が保証される。また、ばね要素は適切なばね力も有する。
【００２０】
特に、ばね要素は、０．８Ｎ／ｍｍ〜１８Ｎ／ｍｍ、好適には１．２Ｎ／ｍｍ〜１４Ｎ／ｍｍ、特に好適には１．４Ｎ／ｍｍ〜１２Ｎ／ｍｍのばね定数を有する。こうしたばね定数によって、奏者があご当てに過度に圧力を加えてしまうのを回避するという望ましい効果に対して、特に好ましいものとなる。
【００２１】
また、ばね要素は、有利には、０．１６Ｎｍ／ｒａｄ〜４．８Ｎｍ／ｒａｄ、好適には０．２４Ｎｍ／ｒａｄ〜４Ｎｍ／ｒａｄ、特に好適には０．２８Ｎｍ／ｒａｄ〜３．６Ｎｍ／ｒａｄの方向性トルクを示す。こうした値によって、作用点がばねの真上ではなく接触面から数ｃｍずれた場合に、奏者のあごに対して同等の力が生じる。
【００２２】
実験では、上記の余地によって、異なる経験値を有し異なる抵抗レベルを必要とする奏者らの需要が満たされることが示された。例えば、既に少ない力で演奏する奏者は、４Ｎ／ｍｍのばね抵抗又は０．８Ｎｍ／ｒａｄの方向性トルクで演奏できる。経験の浅い演奏家は、むしろ１２Ｎ／ｍｍ又は２．４Ｎｍ／ｒａｄから始める。こうした奏者は、新たな演奏法に徐々に慣れていく機会を得られるであろう。
【００２３】
圧縮された圧縮木材をばね要素に使用する場合、０．６ｇ／ｃｍ３〜０．９６ｇ／ｃｍ３の有利な密度を有する。音、重さ及び弾力性の観点から、こうした圧縮木材は、あご当てのばね要素への使用に特に適している。
【００２４】
上記のような保持装置は、有利には、弦楽器の奏者のあごを支えるように設計された支持面に弦楽器を接続するのに用いられる。
【００２５】
弦楽器の奏者のあごを受け入れるようになっている支持面を備える、弦楽器用のあご当ては、有利には、上記のような保持装置を備える。
【００２６】
弦楽器は、有利には、そうしたあご当てを含む。
【００２７】
本発明によって達成される利点は、特に、弾性をもつ保持装置を弦楽器のあご当てにおいて使用することによって、一方では楽器の特に良質な音、他方では奏者の痙攣の防止が確実に得られるという事実にある。特に、屈曲した圧縮された圧縮木材、又は特に好ましい設計ではガラス繊維を含むナイロンから作られるばね要素の設計において、技術的に特に簡素な方法によってこれらの利点を実現することができる。
【００２８】
また、こうした設計によって、１０年以上存在してきた高いあご当ての要望に応えられる。これは、こうした弦楽器をより健康的に演奏する手法を求めることに関係する。また、代わりに、より低い肩当て及びより高いあご当ての使用もますます好まれている。残念ながら、より高いあご当てはより重たいことが多く、音色に悪影響となる。本発明概念によって、ほんの僅かな増量で極めて高い高さをもつモデルを製造することが可能となる。従来のあご当ては、優に重さ６５グラム、高いものだと８５グラムある。一方、本明細書にて上述したような本発明に係るあご当てなら、重さを１５グラムにでき、高いものでも最大１グラム増えるだけである。
【００２９】
また、本発明に係るばね要素によって、特に優れた音が確実に得られる。バイオリンを弾いてあご当てから頭を離すと、バイオリンの音がより広がっていることが確認できる。バイオリンの音は、頭によって、あご当てを介して間接的に減衰する。本明細書に記載のあご当てによれば、バイオリンはこの影響から解放される。ばねが柔軟であり、バイオリンに一定の独立性を与えることから、ばねによってバイオリンと頭とが分離される。
【００３０】
本明細書に記載のあご当ては、土台と、ばねと、あご当てとの、主に３つの置き換え可能な部品から構成される。奏者が他の特性のばねを使いたい場合には、ばねを交換することもできる。取付具は、あご当てのモデルを変更する必要なく、特定のバイオリンに容易に適応させることができる。
【００３１】
また、様々な形状のあご当ての使用が可能であることも重要である。あご当ては、第三者が提供したり、個人の寸法に合わせて３Ｄプリントしたりもできる。これによって、個人の要望に合ったあご当てにカスタマイズすることが可能となる。また、あご当ては、回転させたり傾けたりすることで、個別に柔軟に調節することもできる。これによって、頬骨にぴったり合うように位置を調節することができる。
【００３２】
本発明の一例を、図面によって詳細に説明する。
【図面の簡単な説明】
【００３３】
【図１】図１は、本明細書ではバイオリンである、弦楽器である。
【図２】図２は、あご当てが保持装置に固定されている、バイオリンの本体の下部の斜視図である。
【図３】図３は、図２に係る保持装置のばね要素を様々な視点から見た図である。
【図４】図４は、図２に係る保持装置のばね要素を様々な視点から見た図である。
【図５】図５は、図２に係る保持装置のばね要素を様々な視点から見た図である。
【図６】図３６は、図２に係る保持装置のばね要素を様々な視点から見た図である。
【図７】図７は、図２に係る保持装置のばね要素を様々な視点から見た図である。
【図８】図８は、クランプ要素が割り当てられた、図２に係る保持装置のばね要素を様々な視点から見た図である。
【図９】図９は、クランプ要素が割り当てられた、図２に係る保持装置のばね要素を様々な視点から見た図である。
【図１０】図１０は、クランプ要素が割り当てられた、図２に係る保持装置のばね要素を様々な視点から見た図である。
【図１１】図１１は、クランプ要素が割り当てられた、図２に係る保持装置のばね要素を様々な視点から見た図である。
【図１２】図１２は、クランプ要素が割り当てられた、図２に係る保持装置のばね要素を様々な視点から見た図である。
【図１３】図１３は、図３〜図７に係るばね要素を、割り当てられたクランプ要素に接続するクリック機構の拡大図である。
【図１４】図１４は、バイオリンの支持板の、図３〜図７に係るばね要素への取り付けである。
【図１５】図１５は、図１４に係る留め動作のための保持ブロックの拡大図である。
【発明を実施するための形態】
【００３４】
全ての図面において、同じ部品には同じ参照番号が付される。
【００３５】
図１の底面図に示すクラシックバイオリン１が、共鳴体を形成する本体２と、指板が装着されたネック４と、ペグ６を含み、その端部がスクロール８によって形成されるペグボックスとを備える。本体２は、底部１０と周囲を囲む底縁部１２とを有する。バイオリン１のネック４は、本体２のネック端部１４において、上端ブロック１６を介して本体２に接続される。本体２の内部では、バイオリン１を安定させる他のブロックが機能している。
【００３６】
バイオリン１の上側にあるテールピース端部によって、下端ブロック１８にバイオリン１の弦が張られる。そのため、下端ブロック１８は、本体２に対して極めて安定的であり且つしっかりと組み込まれている。ネック４と指板とを担持する上端ブロック１６も、本体２に対して極めて安定的であり且つしっかりと組み込まれている。昨今、上端ブロック１６とネック４とは、必要とされる担持性質だけでなく音及び振動の特性も得られるように、別々に作られて互いに接着されることが多い。
【００３７】
周囲を取り囲む底縁部１２の領域において、所謂フレーム２６である側壁が本体２の底部１０の側面に取り付けられて、表板が、本体の底部に対向するようにこれらのフレーム２６に取り付けられる。バイオリン１の共鳴腔を形成する本体２は、基本的にこれらの部品によって形成され、所謂外側ブロックと上端及び下端ブロック１６及び１８との助力によって固定される。
【００３８】
通常、バイオリン１は、演奏時には下端ブロック１８の領域内であごと肩又は鎖骨との間に挟まれ、そのネック４に置かれた演奏家の片手によって支えられる。バイオリン１の演奏時に、演奏家が、バイオリン１の高い音質を維持しながら、快適で且つ挟むことから解放された姿勢でいられるように、所謂あご当て２８が下端ブロック１８の領域内に配置される。これは、中でも、奏者のあごと肩／胸との間の自由な空間を少なくとも部分的に埋めることで、リラックスした状態でバイオリン１をあご領域内に固定できるようにすることを目的としている。このようなバイオリン１のあご当て２８を、図２の下方図に示す。あご当て２８は、奏者がバイオリン１の演奏時に自身のあごを置くことができる支持板２９と、バイオリン１の本体２に支持板２９を取り付けるための保持装置３０とを備える。
【００３９】
本体２に取り付けられた組立状態で図２に示される保持装置３０は、バイオリン１の演奏時に特に高い音質を維持しながら、奏者が特に人間工学的に好ましい位置に適応できるように具体的に設計される。保持装置３０の設計には、特に、奏者の姿勢を人間工学的に改善させるためには、あご当て２８の支持板２９に加わる圧力を最小限に維持することが望ましいという事実が考慮される。このために、拘束装置３０は、奏者が加える圧力に応じて支持板２９の弾性挙動を生じさせるように設計されて、支持板２９に圧力が加わると、これに対する触覚フィードバックを奏者が受け取れるようになっている。つまり、こうした弾性挙動は奏者を驚かせ、新たなバランスを要することとなるため、圧力が自然と減少する。このため、保持装置３０は、一方では支持板２９が装着された状態で、本実施例では２つである複数のクランプ要素３４及び３６によって本体２に留められる、ばね要素３２を備える。
【００４０】
ばね要素３２の特徴的な性質、すなわち、特にそのばね定数及びそのストロークは、好適には、本来の目的のため、つまりあご当て２８に圧力が加わった際に奏者に触覚フィードバックを与えるために、具体的に設計される。ここに示す本実施例におけるばね要素３２は、１Ｎ／ｍｍ〜８Ｎ／ｍｍのばね定数及び５ｍｍのストロークを有する。
【００４１】
保持装置３０が、本発明にとって絶対不可欠と考えられるばね要素３２を備えることは、一方では保持装置３０に適した材料の選択によって、及び／又は、他方ではばね要素３２の空間的形状、好適には板ばねのような設計によって、実現できる。いずれの方法、すなわち、材料の適切な選択によるばね要素３２の設計も、適切な三次元形状によるばね要素３２の設計も、それぞれ独立して発明的と考えられる。しかしながら、ここに示す本実施例ではこれらの方法両方の組み合わせを示し、これもまた独立して発明的と考えられる。
【００４２】
ばね要素３２の空間設計に特に好ましい実施例を図３〜図７に示し、つまり、図３に正面図、図４に側面図、図５に斜視図、図６に上面図、そして図７に下からの図を示す。
【００４３】
図３〜図７によれば、ここに示す本実施例のばね要素３２は一体に作られる。ここに示す本実施例のばね要素３２は、所望のばね性質が得られるように、その機能性が板ばねの性質に近付くという観点から、特に適切な空間形態に設計される。一体のばね要素３２は、基本的に、その中央領域４０で僅かに屈曲又は湾曲し且つその両端の領域４２及び４４で略１８０°屈曲した、材料片３８で構成される。このため、図３の図面から特に明確に分かるように、ばね要素３２は、長手方向部分において長辺の一方で途切れた楕円形を形成する。
【００４４】
図６に係る上面図から特に明確であるように、材料片３８は、この楕円形において継続している長辺を形成するその中央領域４０、並びにクランプ要素３４及び３６との接続のための端脚領域において、幅広となっている。ここに示す特に好ましい実施例では、材料片３８は、これらの領域において最大７ｍｍ〜２５ｍｍ、好適には９ｍｍ〜１５ｍｍ、特に好適には１０ｍｍ〜１２ｍｍの幅を有する。一方、端部領域４２及び４４に合流する中央領域４０の端部遷移部分では幅が狭くなり、これらの領域では、ここに示す本実施例の材料領域は２ｍｍ〜１５ｍｍ、好適には３ｍｍ〜１０ｍｍ、特に好ましくは４ｍｍ〜７ｍｍの、特に好ましい最小幅を有する。
【００４５】
図６の上面図から特に明確に分かるように、ばね要素３２を形成する材料片３８の輪郭設計、すなわち中央領域４０の厚さは、材料片３８の長手方向の中央軸線に対して対称ではない。これに対して、独立して発明的と考えられる材料片３８の輪郭形成は、ばね要素３２が組み立てられた状態で後ろ向き、すなわちバイオリン１の奏者の方を向く第１縁部４５ａが、基本的に真っ直ぐとなるように設計される。この輪郭形成は、ばね要素３２が組み立てられた状態で前向き、すなわちバイオリン１のネック４の方を向く第２縁部４５ｂの輪郭設計によって実現される。この設計によって、輪郭形成による意図的な弱化の効果が得られ、ばね要素３２をネック４に向けて傾け易くなり、ばね要素３２を奏者に向けて傾け難くなる。これは、楽器１が確実にしっかりと保持されるのと同時に、奏者によって加えられた圧力（この圧力はまずネック４の方向に作用する）に対して特に敏感な反応が示されることから、ばね要素３２によって奏者を特に効果的に支えることができることを意味する。
【００４６】
支持板２９を固定するように、中央領域４０に装着スロット５０も設けてもよく、装着スロット５０は、例えば支持板２９を設置するための固定ねじを通すことができ、スロット形状に設計されていることにより、奏者の要望に合わせて中央領域４０の長手方向に位置付けることができる。ここに示す好ましい設計では、材料片３８は０．５ｍｍ〜４ｍｍの厚さを有する。
【００４７】
また、ばね要素３２は、所望のばね特性を得るのに特に適切と考えられる材料から作られる。特に、ばね要素３２又はそれを形成する材料片３８は、適切に選択された金属又はプラスティック、好適にはナイロン又はナイロン６．６、特に好適にはガラス繊維が混ぜられて作られてもよい。
【００４８】
同じく独立して発明的と考えられる代替の実施例では、材料片３８は圧縮木材から作られる。例えば、圧縮された木質チップから作られたプレスボードと比べて、圧縮木材は、特に、一枚板から作られているという事実を特徴とする。圧縮木材は、約０．７ｇ／ｃｍ３の密度を有する。他の実施例では、０．６ｇ／ｃｍ３〜０．９６ｇ／ｃｍ３の密度を有してもよいことが示される。この種類の製造では、ばねをプレス成形するのではなく、圧縮木材を製造してボードへと切断し、これらのボードからボディの形状を切り出してオーブンで乾燥させた後に、対応する形状に折り曲げる。
【００４９】
ここに示す本実施例の材料片３８は、上述した材料の選択によって所望のばね性質を適切に検討することで、その寸法の観点から、バイオリン１と使用するという目的に適切に適合する。ここに示す本実施例では、材料片３８は、５ｍｍ〜１０ｍｍ、好適には６ｍｍ〜９ｍｍ、特に好適には７ｍｍ〜８ｍｍの最大幅を有し、０．５ｍｍ〜１．５ｍｍの厚さを有する、鋼バージョンのばねである。このバージョンの最小幅は、好適には２ｍｍ〜９ｍｍ、好適には２．５ｍｍ〜８ｍｍ、特に好適には３ｍｍ〜７ｍｍである。しかしながら、木材又はプラスティックのバージョンでは、最大幅は７ｍｍ〜２５ｍｍ、好適には９ｍｍ〜１５ｍｍ、特に好適には１０ｍｍ〜１２ｍｍであり、１ｍｍ〜４ｍｍの厚さを有する。このバージョンでは、最小幅は好適には２ｍｍ〜１５ｍｍ、好適には３ｍｍ〜１０ｍｍ、特に好適には４ｍｍ〜７ｍｍである。
【００５０】
ばね要素３２を本体２に固定するのに、保持装置３０は接続要素としてクランプ要素３４及び３６を有する。これらは、ばね要素３２の脚部分４６及び４８に接続でき、バイオリン１の本体２に取り付けることができる。ばね要素３２に取り付けられるクランプ要素３４及び３６の設計の特に好ましい例を図８〜図１２に示し、つまり、図８に正面図、図９に上からの斜視図、図１０に下からの斜視図、図１１に背面図、そして図１２に側面図を示す。
【００５１】
図８〜図１２から分かるように、クランプ要素３４及び３６は、保持脚部５４と保持ヘッド部５６とが各端部に配置される中間ロッド５２をそれぞれ有する。これらのそれぞれに本体２への接触面が成形されることで、本体底部と本体上部とを含む本体２を、保持脚部５４及び保持ヘッド部５６の接触面同士の間に挿入、特に挟んで、そこに固定することができるように、上記の構成要素の寸法が選択される。
【００５２】
各クランプ要素３４及び３６の保持ヘッド部５６は、ばね要素３２の脚部分４６及び４８の一方と接続するように設計され、適切に形成される。こうした接続は、例えば、ねじ接続によって実現できる。しかしながら、例示の、独立して発明的な設計と考えられる特に好ましい設計では、所謂「クリック」接続が接続として提供されており、平面状に設計されている脚部領域４６及び４８を保持ヘッド部５６の対応するスロット５８内に挿入できる。これは、挿入の直前（図１３ａ）及び係止後（図１３ｂ）の状態として図１３に示される。
【００５３】
脚部領域４６及び４８は、僅かに湾曲した裏面６０と、接触面６２に隣接するスナップイン縁部６４とを有する。脚部領域４６及び４８それぞれを受入スロット５８内に挿入すると、脚部領域４６及び４８は、受入スロット５８内で一時的に僅かに変形し、この設計及びばね要素３２の材料に関する弾力性によって（裏面６０の湾曲部に対して）外側に折れ曲がる。受入スロット５８から掛け金縁部６４が出てきた後、掛け金縁部６４はばね力によって跳ね返り、受入スロット５８の出口端面６６と共にホックを形成する。このように、保持ヘッド部５６それぞれによって、ばね要素３２の取り外し可能なスナップ又はラッチ接続が形成される。このようにして、特に簡素な手段によって、道具を必要とすることなく、ばね要素３２をクランプ要素３４及び３６に確実に取り付けることが可能となる。このスナップイン又はスナップオン接続は、特に簡素な手法で解放することができ、特に、位置決め通路５８から突出した脚部分４６及び４８の自由端６８を、裏面６０の方向へのばね力に対して手で押すことで、キャッチ縁部６４と端面６６との間のキャッチを解放できる。
【００５４】
ばね要素３２に対する支持板２９の取り付けは、組み立てられた状態でも可能な限り全方向に傾けられるように具体的に設計することで、奏者自身の希望や要望への適合について特に大きな自由度を奏者に与えることができる。これを考慮するために、支持板２９をばね要素３２に装着する接続システム７０が設けられる。図１４の図面から分かるように、接続システム７０は、ばね要素３２の中央領域４０用の受入スロット７４を有する保持ブロック７２を備える。スロット７４の寸法、特にスロットの幅は、ばね要素３２、特にその厚さに適合する。
【００５５】
図１５に斜めに示す保持ブロック７２は、その上面に、支持板２９の下側に取り付けられた対応するボールジョイント部７８を挿入できる、球面の断片の形状をもつ受入スロット７６を有する。この設計によって、支持板２９を確実に略全方向に回転させることができる。全ての要素を互いに接続するのに、ばね要素３２の装着スロット５０を通過して保持ブロック７２のねじ孔８０を通り、ボールジョイント部７８の領域内の対応するねじ山に係合する接続ねじを設けてもよい。
【００５６】
ここに示す本実施例のばね要素３２によって定義されるばね定数は、約４Ｎ／ｍｍである。材料片３８の幾何学的条件及び弾力性に応じて、ばね定数は０．８Ｎ／ｍｍ〜１８Ｎ／ｍｍとなりうる。これにより、５ｍｍずれた垂直荷重が加わった場合、０．４ｋｇ〜９ｋｇ、好適には０．６ｋｇ〜７ｋｇ、特に好適には０．７ｋｇ〜６ｋｇの力が生じる。
【００５７】
また、ここに示す本実施例の、ばね要素３２を備える保持装置３０は、０．８Ｎｍ／ｒａｄの方向性トルクを有する。方向性トルクは、ばね要素３２のねじれの角度とそれによって生じるトルクとの比例定数である。ここに示す他の実施例では、方向性トルクは、０．１６Ｎｍ／ｒａｄ〜４．８Ｎｍ／ｒａｄであってもよい。これにより、作用点が担持面２９によるばねの真上ではなく、数ｃｍずれた場合でも、対応する反発力が確実に得られる。上記の方向性モーメントによって、２ｃｍ補正された垂直荷重に対して５ｍｍのずれで０．２ｋｇ〜６ｋｇ、好適には０．４ｋｇ〜５ｋｇの力の発生が実現される。
【００５８】
図２に示すように、保持要素３０はあご当て２８に使用され、すなわち、バイオリン１の奏者のあご用の支持板２９を、バイオリン１の本体２と接続するのに使用される。図示の構造によって、保持装置３０は、支持板２９とバイオリン１との間で弾力的に作用して、奏者が挟んだ位置に過剰な圧力が加わることを回避できるのと同時に、バイオリン１の特に優れた音を実現できるようになっている。
【符号の説明】
【００５９】
１  バイオリン
２  本体
４  ネック
６  回転部
８  スクロール
１０  底部
１２  底縁部
１４  ネック端部
１６，１８  端部ブロック
２０，２２  外側ブロック
２４  湾曲部
２６  フレーム
２８  あご当て
２９  支持板
３０  保持装置
３２  ばね要素
３４，３６  クランプ要素
３８  材料片
４０  中央領域
４２，４４  端部域
４５ａ，４５ｂ  縁部
４６，４８  脚部領域
５０  装着スロット
５２  中間ロッド
５４  保持脚部
５６  保持ヘッド部
５８  スロット
６０  裏面
６２  接触面
６４  スナップイン縁部
６６  表面
６８  自由端
７０  接続システム
７２  保持ブロック
７４  スロット
７６  受入部
７８  ボールジョイント部
８０  ねじ孔
【図１】
2021526233.tif 000003
【図２】
2021526233.tif 000004
【図３】
2021526233.tif 000005
【図４】
2021526233.tif 000006
【図５】
2021526233.tif 000007
【図６】
2021526233.tif 000008
【図７】
2021526233.tif 000009
【図８】
2021526233.tif 000010
【図９】
2021526233.tif 000011
【図１０】
2021526233.tif 000012
【図１１】
2021526233.tif 000013
【図１２】
2021526233.tif 000014
【図１３ａ】
2021526233.tif 000015
【図１３ｂ】
2021526233.tif 000016
【図１４】
2021526233.tif 000017
【図１５】
2021526233.tif 000018
【手続補正書】
【提出日】令和2年1月8日(2020.1.8)
【手続補正１】
【補正対象書類名】特許請求の範囲
【補正対象項目名】全文
【補正方法】変更
【補正の内容】
【特許請求の範囲】
【請求項１】
弦楽器（１）の奏者のあごを置くために設けられる支持板（２９）を前記弦楽器（１）の本体（２）に接続できるようにする、前記弦楽器（１）用のあご当て（２８）のための保持装置（３０）であって、前記保持装置（３０）は、持板（２９）を前記本体（２）に弾性接続するようなばね要素（３２）を備え、前記ばね要素（３２）が、その中央領域（４０）で屈曲又は湾曲する材料片（３８）を備え、前記ばね要素（３２）が、その長手方向部分において長手方向側面の一方で途切れた楕円形を形成するように、その両端の領域（４２，４４）で屈曲する、請求項２に記載の保持装置（３０）。
【請求項２】
その前記ばね要素（３２）が、プラスティック、金属、又は圧縮された圧縮木材から構成される、請求項１に記載の保持装置（３０）。
【請求項３】
圧縮された木材が、０．６ｇ／ｃｍ３〜０．９６ｇ／ｃｍ３の密度を有する、請求項２に記載の保持装置（３０）。
【請求項４】
その前記ばね要素（３２）が、断面において、２ｍｍ〜２５ｍｍの幅及び／又は１ｍｍ〜４ｍｍの厚さを有する、請求項１〜３のいずれか一項に記載の保持装置（３０）。
【請求項５】
その前記ばね要素（３２）が、材料片（３８）の長手方向から見て変化する幅を有して輪郭形成及び設計され、７ｍｍ〜２５ｍｍ、好適には９ｍｍ〜１５ｍｍ、特に好適には１０ｍｍ〜１２ｍｍの断面最大幅を有し、２ｍｍ〜１５ｍｍ、好適には３ｍｍ〜１０ｍｍ、特に好適には４ｍｍ〜７ｍｍの断面最小幅を有する、請求項１〜４のいずれか一項に記載の保持装置（３０）。
【請求項６】
その前記ばね要素（３２）が、１ｃｍ〜７ｃｍの高さ及び／又は４ｃｍ〜１２ｃｍの幅を有する、請求項１〜５のいずれか一項に記載の保持装置（３０）。
【請求項７】
その前記ばね要素（３２）が、０．８Ｎ／ｍｍ〜１８Ｎ／ｍｍ、好適には１．２Ｎ／ｍｍ〜１４Ｎ／ｍｍ、特に好適には１．４Ｎ／ｍｍ〜１２Ｎ／ｍｍのばね定数を有する、請求項１〜６のいずれか一項に記載の保持装置（３０）。
【請求項８】
その前記ばね要素（３２）が、０．１６Ｎｍ／ｒａｄ〜４．８Ｎｍ／ｒａｄ、好適には０．２４Ｎｍ／ｒａｄ〜４Ｎｍ／ｒａｄ、特に好適には０．２８Ｎｍ／ｒａｄ〜３．６Ｎｍ／ｒａｄの方向性トルクを有する、請求項１〜７のいずれか一項に記載の保持装置（３０）。
【請求項９】
弦楽器（１）の奏者のあごを支えるように設計された支持板（２９）に前記弦楽器（１）を接続するための、請求項１〜８のいずれか一項に記載の保持装置（３０）の使用。
【請求項１０】
弦楽器（１）用のあご当て（２８）であって、前記弦楽器（１）の奏者のあごを支えるようになっている支持板（２９）と、請求項１〜８のいずれか一項に記載の保持装置（３０）とを備える、あご当て（２８）。
【請求項１１】
請求項１０に記載のあご当て（２８）を有する、弦楽器（１）。
【国際調査報告】
2021526233.tif 000019
2021526233.tif 000020
2021526233.tif 000021
2021526233.tif 000022